(57)【特許請求の範囲】
【請求項１】
ゴム系、アクリル系、シリコーン系、ウレタン系、ビニルアセテート系、熱可塑性ゴム系、又は液状ゴム系の弾性ポリマーを主成分とし、粘着付与剤、充填剤、顔料等の添加剤を添加した、２０℃でのクリープが正数値で５ｍｍ／時間以下の凝集力を有する疎水性粘着剤からなる層の片面上に上記弾性ポリマーと水溶性高分子を７／３〜３／７の割合で混合した混合成分を主成分とする親水性粘着剤からなる層を積層して成ること、及び親水性粘着剤からなる層の表面が皮膚に貼着されることを特徴とするストーマ用又は瘡傷用の皮膚保護材。
【請求項２】
疎水性粘着剤からなる層が、布帛または不織布を内在させた層であることを特徴とする請求項１記載の皮膚保護材。
【請求項３】
親水性粘着剤からなる層上に消炎鎮痛剤，局所抗炎症剤，止痒剤，抗疥癬剤，局所麻酔剤，抗細菌剤等の薬剤をしみこませたガーゼ等の治療材を貼付するか、または前記薬剤を親水性粘着剤からなる層中に練り込んだことを特徴とする請求項１または２記載の皮膚保護材。
【請求項４】
３００ｇ／ｍ２・２４時間〜８０００ｇ／ｍ２・２４時間の透湿度を、疎水性粘着剤からなる層と親水性粘着剤からなる層の両方または親水性粘着剤からなる層のみに付与したことを特徴とする請求項１〜３のいずれかに記載の皮膚保護材。
【請求項５】
疎水性粘着剤からなる層の片面上に該疎水性粘着剤からなる層の表面積より小さな表面積を持つ親水性粘着剤からなる層を、疎水性粘着剤からなる層の周辺部を固定するのに十分な程度に余すように積層して成ることを特徴とする請求項１〜４のいずれかに記載の皮膚保護材。
【請求項６】
疎水性粘着剤からなる層または親水性粘着剤からなる層あるいはその両方の瘡面やストーマ周辺皮膚に貼着される面に複数の溝を設けたことを特徴とする請求項１〜５のいずれかに記載の皮膚保護材。
【請求項７】
疎水性粘着剤からなる層と親水性粘着剤からなる層とが積層された部分の略中央部に、疎水性粘着剤からなる層と親水性粘着剤からなる層とを貫通する孔であって、パウチとストーマを連結してストーマからの排泄物をパウチに収めるための径の孔を設けたことを特徴とする請求項１〜６のいずれかに記載の皮膚保護材。
【発明の詳細な説明】
【０００１】
【発明の属する技術分野】
本発明は、人工肛門や人工膀胱を有する人たちのストーマ，瘻孔，開孔部（以下ストーマという）に被着して、排泄物が直接皮膚に接しないまたは接しても皮膚炎やカブレを抑えることのできるストーマ用の皮膚保護材，または褥瘡等の瘡面に貼付して瘡傷部を保護することのできる瘡傷用の皮膚保護材に関するものである。
【０００２】
【従来技術及び発明が解決しようとする課題】
従来、人工造瘻手術を受けた人たちはストーマからの排泄物を納める様々なパウチ（袋）を装着している。このパウチをストーマ周辺の皮膚面に取り付ける手段として、カラヤ−グリセロールゲルやカルボキシメチルセルロース等の水膨潤性物質（親水性物質）からなるリングまたはワッシャーが用いられる。そしてこれらのリングまたはワッシャーの欠点は、皮膚への粘着力が弱く，密閉性を保持することが困難であることと、この密閉性の悪さによってストーマからの排泄物等が直接皮膚に接し、皮膚の炎症やカブレを引き起こす点にある。
【０００３】
この欠点を防止するために、これまでいろいろな試みがなされている。例えば、特開昭５４−４４９１号公報には、微粉状セルロース，不溶性架橋デキストラン，Ｎａ−ＣＭＣ等の接着力増強剤である感圧接着成分とハイドロコロイドと鉱油の混合物からなる医療用接合剤が開示されている。
【０００４】
しかし、この医療用接合剤は、密閉性は改良されるものの、弾性に乏しく，体動についていけないために使用中にシワが入ったり，その部分が腰折れして裂けてしまうという欠点がある他、保管時や使用中に流動を起こし、本来の目的を達し得ないという欠点もある。
【０００５】
また、特開昭５７−１６９４１４号公報（特公昭６３−６０２０号）には、粘着性ゴム様接合剤とハイドロコロイド（親水コロイド）とホワイトカーボン又は炭酸カルシウムのフロー性改良剤との三者混合物からなる皮膚保護材が開示されている。
【０００６】
しかし、この皮膚保護材は、ハイドロコロイド（親水コロイド）と水に不溶性の弾性結合剤とフロー防止剤とを三者ブレンド（混練）した粘着性ゴム様接合剤からなるものであるため、硬度や粘着力は改善できるものの流動性が大きいという欠点がある。この流動性を改善しようとしてフロー防止剤を大量に加えれば硬度が高くなって弾性に乏しく、体動についていけないものとなり、これを防止しようとすればフロー防止剤の添加量を一定に抑えねばならず、勢い流動性の改善が小幅になるなど、流動性の改善に限界がある。
【０００７】
さらに、特開平１−９９５６４号公報には、ポリマーフィルム，織布，不織布，ポリマーフォームなどの支持材を弾性結合剤と水膨潤性物質と薬学的活性成分との混合物からなる感圧粘着剤層の一方の面に貼り合わせた瘡傷面を保護する薬学的活性成分含有粘着包帯が開示されている。
【０００８】
しかし、この粘着包帯は、その粘着剤層が特開昭５７−１６９４１４号公報（特公昭６３−６０２０号）の接合剤と同様、水膨潤物質（水溶性高分子）と疎水性の弾性粘着物質とをブレンド（混練）した組成物からなっているので、特開昭５４−４４９１号公報のものやハイドロコロイド物質のカラヤ組成物のみからなるものと比べると、粘着力は良くなって体動に追従しやすくなるため、瘡面への密閉性がよくなるが親水性物質を含有するために粘着剤層の流動性や軟化やベトつきを完全に防ぐことはできず、包帯を剥がした後も瘡面やストーマ周辺皮膚に粘着剤が残るなどの欠点がある。
【０００９】
本発明は上述のようなストーマ用及び瘡傷用の皮膚保護材に要求される機能、即ち皮膚への密閉性が良いこと、カブレにくいこと、流動（フロー）しにくいこと、剥離時に皮膚への糊残りがないこと等を全て備えたストーマ用及び瘡傷用の皮膚保護材を得ることを目的とするものである。
【００１０】
【課題を解決するための手段】
本発明は、ゴム系、アクリル系、シリコーン系、ウレタン系、ビニルアセテート系、熱可塑性ゴム系、又は液状ゴム系の弾性ポリマーを主成分とし、粘着付与剤、充填剤、顔料等の添加剤を添加した、２０℃でのクリープが正数値で５ｍｍ／時間以下の凝集力を有する疎水性粘着剤からなる層の片面上に上記弾性ポリマーと水溶性高分子を７／３〜３／７の割合で混合した混合成分を主成分とする親水性粘着剤からなる層を積層して成ることを特徴とするストーマ用又は瘡傷用の皮膚保護材を用いて、該皮膚保護材の親水性粘着剤からなる層の露出面を瘡面やストーマ周辺皮膚へ貼着するという手段をとることにより、柔軟性，密着性，吸水性を有する親水性粘着剤からなる層が、瘡面やストーマ周辺皮膚への密着性を高めて長期間の使用でも確実に密着させることができるし、また瘡面やストーマ周辺皮膚の分泌液を吸収して菌の培地になることもないし、さらに体動に追随しやすく物理的刺激を皮膚面に与えないのでカブレにくいし、また親水性粘着剤からなる層に積層させた疎水性粘着剤からなる層がその凝集力により親水性粘着剤からなる層を保持して剥離時の親水性粘着剤からなる層の破壊による皮膚への糊残りを防ぎ、皮膚保護材を容易に剥がすことができる。
【００１１】
【発明の実施の形態】
以下、本発明の実施の形態を図面により詳述する。
図１は疎水性粘着剤からなる層の片面上に親水性粘着剤からなる層を積層した本発明皮膚保護材の一例を示す斜視図、図２は布帛または不織布を内在させた疎水性粘着剤からなる層の片面上に親水性粘着剤からなる層を積層した本発明皮膚保護材の一例を示す斜視図、図３は疎水性粘着剤からなる層の片面上の周辺部を除く所望の箇所に当該疎水性粘着剤からなる層より小さな表面積を持つ親水性粘着剤からなる層を積層した本発明皮膚保護材の一例を示す斜視図、図４は疎水性粘着剤からなる層の片面上の周辺部を除く所望の箇所に当該疎水性粘着剤からなる層より小さな表面積を持つ親水性粘着剤からなる層を積層し、さらに親水性粘着剤からなる層上に治療材を積層した本発明皮膚保護材の一例を示す斜視図、図５は疎水性粘着剤からなる層と親水性粘着剤からなる層に複数の溝を設けた本発明皮膚保護材の一例を示す斜視図、図６は疎水性粘着剤からなる層と親水性粘着剤からなる層とが積層された部分の略中央部に疎水性粘着剤からなる層と親水性粘着剤からなる層を貫通する孔を設けた本発明皮膚保護材の一例を示す斜視図、図７は瘡面に貼着して瘡傷部を保護する本発明皮膚保護材の使用例図、図８はパウチ（袋）に取り付けた本発明皮膚保護材の用途例図である。
【００１２】
なお、図中１は親水性粘着剤からなる層、１ａは親水性粘着剤からなる層１に設けた複数の溝、２は親水性粘着剤からなる層の保護材、３は疎水性粘着剤からなる層、３ａは疎水性粘着剤からなる層３に設けた複数の溝、３ｂは疎水性粘着剤からなる層３に内在する布帛または不織布、４は離形紙、５は疎水性粘着剤からなる層の保護材、６は親水性粘着剤からなる層１と疎水性粘着剤からなる層３を貫通する孔、７はパウチ（袋）、８は消臭剤孔、９は識別票、１０は治療材である。
【００１３】
即ち、本発明は、図１〜図６に示すように疎水性粘着剤からなる層３の片面上に親水性粘着剤からなる層１を積層して得られる２層構造を含む皮膚保護材である。
【００１４】
本発明は、２０℃におけるクリープが正数値で５ｍｍ／時間以下（ＪＩＳＺ−０２３７）の凝集力を有する疎水性粘着剤からなる層３に親水性粘着剤からなる層１を積層した皮膚保護材であって、このような皮膚保護材は従来の親水性粘着剤からなる層単独の使用と異なり、分泌液の水分を吸収した場合にも型くずれを起こしたり，必要以上にベトついたり，過剰な流動（フロー）をし始めたり，これを引き剥がすときにその凝集力を失って皮膚に残るなどの欠点を全て克服できる。
【００１５】
即ち、一般に凝集力の弱い親水性粘着剤からなる層１のみからなる皮膚保護材が瘡傷部やストーマ周辺部に貼着された場合には、体温による昇温や分泌液の吸収あるいは貼着時のわずかなテンションなどで親水性粘着剤からなる層１が軟化して型くずれを起こしたり，流動（フロー）したり，ベトついたりしがちである。
【００１６】
しかし、皮膚保護材が次のような２層構造を含む場合、即ち、一方の層を構成する粘着剤が２０℃のクリープが正数値で５ｍｍ／時間以下（ＪＩＳＺ−０２３７）という他方の層を構成する親水性粘着剤の凝集力よりもはるかに大きい凝集力を有する疎水性の粘着剤であって、しかも２層間の粘着力がどのような場合にも親水性粘着剤からなる層１と被着体間のそれよりも大きくなるように積層された２層構造を含む場合には、疎水性粘着剤からなる層３が親水性粘着剤からなる層１を皮膚に追随する程度の柔軟性を保ちつつ弾力的に固定して親水性粘着剤からなる層１の軟化や型くずれや過剰な流動（フロー）を抑えることができる。さらに剥離時には、親水性粘着剤からなる層１は凝集力の大きい疎水性粘着剤からなる層の側に引っ張りあげられて被着体に糊残りを起こさせることなく簡単に剥離することができる。
【００１７】
ここにおいて、疎水性粘着剤からなる層３を構成する疎水性粘着剤は、ＮＲ，ＩＲ，ＢＲ，ＩＩＲ，ＥＰＲ，ＣＲ，ＮＢＲ，ＳＢＲ，ポリイソブチレン等のゴム系，アクリル酸アルキルエステル共重合体，エチレンメチルアクリレート共重合体等のアクリル系，ジメチルシロキサン，メチルビニルシロキサン，フェニルメチルシロキサン，フェニルビニルメチルシロキサン，フッ化シリコーン等のシリコーン系，ポリエステルウレタン，ポリエーテルウレタン等のウレタン系，エチレン酢酸ビニル共重合体，酢酸ビニル共重合体等のビニルアセテート系，ＳＢＳ，ＳＩＳ，ＳＥＢＳ，ＳＥＰＳ，ポリエステルウレタン，ポリエーテルウレタン，ポリエーテルポリエステルブロック共重合体，ポリオレフィンブロック共重合体，トランス１．４ポリイソプレン，ポリエチレンブチルグラフト共重合体等の熱可塑性ゴム系，又はポリブタジエン，ポリクロロプレン，ポリイソプレン，ポリ１．３ペンタジエン，ポリシクロペンタジエン，ポリブテン等の液状ゴム系から選択された弾性ポリマーを主成分とし、要すれば粘着付与剤，充填剤，顔料等を添加して得られる。
【００１８】
さらに、疎水性粘着剤からなる層３を構成する疎水性粘着剤は、溶剤系，水系，液状ポリマー系，ドライブレンド系（シーラント系），ホットメルト系のいずれの材料形態でもよく、それぞれの形態に合わせて離形処理されたプラスチックフィルムまたは離形紙からなる疎水性粘着剤からなる層の保護材５上にコーティング，押出し，プレス，圧延（カレンダリング）されるか、コーティング，押出し，プレス，圧延後に前記保護材５と貼り合わされるか、転写される。
【００１９】
一方、このようにして得られた疎水性粘着剤からなる層３の形状は、その原型がシート状，テープ状，フィルム状であって、他層である親水性粘着剤からなる層１と貼り合わされた後、打抜き加工やプレス加工や裁断加工などの方法により、方形，多角形，台形，長方形，円形，楕円形等所望の形状に形成することができるものである。
【００２０】
さらにまた、このようにして得られた疎水性粘着剤からなる層３の厚みは２ｍｍ〜０．０２ｍｍが望ましい。この理由は、２ｍｍ以上に厚みを有する場合は、疎水性粘着剤からなる層３の自重や外圧によりこれ自体が型くずれや流動（フロー）を起こすおそれがあって好ましくないからであり、０．０２ｍｍ以下では所望の粘着力が得にくく、親水性粘着剤からなる層１の軟化や型くずれや過剰な流動（フロー）を皮膚に追随する程度の柔軟性を保ちつつ弾力的に固定する力や図８の使用例に示すパウチ（袋）７への貼着力、さらには図７の識別票９を貼着する貼着力が弱くなり問題を起こしかねないからである。
【００２１】
次に、親水性粘着剤からなる層１を構成する親水性粘着剤について述べれば、親水性粘着剤の組成物としては、上述した疎水性粘着剤に用いられる弾性ポリマーと、カラヤゴム，グアガム，アラビアゴム，キャロブゴム，ロッカストビーンゴム，カラギーナン，澱粉，ペクチン，ゼラチン，アルブミン，ナトリウムカルボキシメチルセルロース，カルシウムカルボキシメチルセルロース，カルボキシメチルセルロース，微結晶セルロース，キサンタンゴムなどの天然水溶性高分子，ポリアクリル酸，ポリビニルアルコール，ポリエチレンオキサイド，アルギン酸ナトリウム，アルギン酸カルシウムなどの合成水溶性高分子のうち一つまたは一つ以上を混合して得られる。
【００２２】
なお、弾性ポリマーと水溶性高分子の混合比は３対７〜７対３の比率である。これは水溶性高分子の混合比が７割以上のものは体温や分泌液の吸収等によって必要以上に軟化しやすく、ベトつきやすい一方、３割以下のものは凝集力が大きくなりすぎ肌への密着性が悪くなる他、分泌液を吸収したり、体動に追随しにくくなるなど好ましくないからである。
【００２３】
一方、この親水性粘着剤は、ニーダー等の混練機により弾性ポリマーと水溶性高分子要すれば薬剤等が均一に混合されて得られる。得られた混合物は、次にＴダイ押出機や圧延ロールやプレス機でシート状に圧延され、離形処理されたプラスチックフィルムや離形紙からなる親水性粘着剤からなる層の保護材２に圧延と同時にまたは圧延の後に貼り合わされる。
【００２４】
また、このようにして得られた親水性粘着剤からなる層１の厚みは０．５ｍｍ〜３ｍｍが好ましい。これは親水性粘着剤からなる層１が０．５ｍｍ以下の厚みでは、パウチ（袋）をストーマ周辺の皮膚面に取り付けストーマからの排泄物を直接皮膚に接しないように、また外部に漏らさないようにパウチ（袋）へ収めるという、ストーマに被着する用途での皮膚保護材本来の目的を果たしにくいからであり、３ｍｍ以上の厚みでは過剰な流動（フロー）が起こりやすい他、自重による落下や装着時の違和感が大きいなどの欠点を有するからである。
【００２５】
次に、上記親水性粘着剤からなる層１と疎水性粘着剤からなる層３の積層はこれら２つの粘着層を同時に複合押出機を用いて貼り合わせることができる他、それぞれを別々に形成して貼り合わせた後に方形，多角形，台形，長方形，円形，楕円形等の所望の形状に形成することもできる。またそれぞれを所望の形状に加工した後に貼り合わせて形成することも自由であるなど、要はこれら２つの粘着層が所望の形状で積層された２層構造をとりうるものであればいずれでもよい。
【００２６】
なお、親水性粘着剤からなる層１の過剰な流動により親水性粘着剤からなる層１が疎水性粘着剤からなる層３面よりはみ出し、ひいては被着体からの剥離性を悪くすることを防ぐ工夫として、図３，図４に示すように疎水性粘着剤からなる層３の表面積を親水性粘着剤からなる層１の表面積よりも大きくした形状、即ち疎水性粘着剤からなる層３の片面上の周辺部を除く所望の箇所に該疎水性粘着剤からなる層３の表面積より小さな表面積を持つ親水性粘着剤からなる層１を積層して２層構造に形成することもできる。こうすることにより、親水性粘着剤からなる層１を疎水性粘着剤からなる層３で保持しやすいことは勿論のこと、親水性粘着剤からなる層１が万一体温や分泌液の吸収によって過剰な流動を起こしても、疎水性粘着剤からなる層３のエリアより外にはみ出ることがない。
【００２７】
一方、疎水性粘着剤からなる層３の上述のような効果をより一層大きくするために、図２，図４に示すように疎水性粘着剤からなる層３には不織布や布帛３ｂを内在させることができる。こうすることによって、疎水性粘着剤からなる層３の凝集力を補い、親水性粘着剤からなる層１の過剰な流動性や剥離時の良好な剥離性を一層高めることができる。
【００２８】
さらに、瘡傷部を保護する目的で使用される場合の本発明皮膚保護材にあっては、図４に示すとおり、親水性粘着剤からなる層１上に消炎鎮痛剤，局所抗炎症剤，止痒剤，抗疥癬剤，局所麻酔剤，抗細菌剤等の薬剤をしみこませたガーゼ等の治療材１０を貼付して用いることもできる。また、前記の薬剤は親水性粘着剤からなる層１中に直接練り込むこともできるが、この場合にはガーゼ等の治療材１０を省略することができる。さらにまた、通気性を要望される用途には、親水性粘着剤からなる層１と疎水性粘着剤からなる層３との両方を、または親水性粘着剤からなる層１のみを３００ｇ／ｍ２・２４時間〜８０００ｇ／ｍ２・２４時間の透湿度が得られるように設計する。これは、３００ｇ／ｍ２・２４時間以下の透湿度では透湿度が不十分で、透湿機能を十分に果たし得ないからであり、８０００ｇ／ｍ２・２４時間以上の透湿度はかえって大気中の湿気の吸湿を招くなど好ましくないからである。なお、上記の透湿度は、親水性粘着剤からなる層１または疎水性粘着剤からなる層３に機械的に細孔を設けるか、当該配合物中に親水性高分子水溶液を添加した後加熱乾燥することにより得ることができる。
【００２９】
さらにまた、本願皮膚保護材は図５に示すように、疎水性粘着剤からなる層３または親水性粘着剤からなる層１あるいはその両方の瘡面やストーマ周辺皮膚に貼着される面それぞれに複数の溝１ａ，３ａを設けることができる。これはひとつには貼着する皮膚面への接地面積を少なくして剥離を容易にするためであり、さらには粘着剤層の過剰な流動を厚み方向に逃がして幅や長さ方向へのはみ出しを防ぐためである。
【００３０】
さらに、図７に示すように、瘡面に貼着して瘡傷部を保護する用途においては、瘡傷部に貼着後疎水性粘着剤からなる層の保護材５を剥離して識別票９を貼着して、識別を明らかにして用いることもできるし、疎水性粘着剤からなる層の保護材５に所望の識別表示を印刷しておきこれを識別票９として用いることもできる。
【００３１】
一方、図８に示すように、パウチ（袋）に取り付けた後、このパウチ（袋）をストーマ周辺の皮膚面に取り付ける用途に用いる皮膚保護材には、例えば図６に示すように疎水性粘着剤からなる層３と親水性粘着剤からなる層１とが積層された部分の略中央部に疎水性粘着剤からなる層３と親水性粘着剤からなる層１とを貫通する孔６を設ける。この孔６は当然のことながらパウチ（袋）の孔及びストーマに連結されるものでなくてはならない。
【００３２】
なお、図３〜図６に示す皮膚保護材の皮膚面への貼着は、親水性粘着剤からなる層の保護材２および疎水性粘着剤からなる層３に設けた離形紙４を剥がして貼着する。
【００３３】
【実施例】
以下、本発明の実施例について述べる。
実施例１
表１に示す親水性粘着剤成分と表２に示す疎水性粘着剤成分をそれぞれニーダーで配合した。次に、配合した親水性粘着剤配合物と疎水性粘着剤配合物をそれぞれ押出機で厚さ１ｍｍにシーティングした後、２５ｃｍ×２５ｃｍの大きさに裁断し、加圧プレス機で両者を貼り合わせた後、１５０ｍｍφに打ち抜き加工してサンプル１を得た。このサンプル１を試用に供したところ表３に示す結果を得た。
【００３４】
実施例２
シート形状の親水性粘着剤からなる層を実施例１と同様にして作成した後、１５０ｍｍφの円形に打ち抜き加工した。次に、厚さ３０μｍのアクリル粘着剤を保護材（クラフト離形紙）の上にコーティングした保護材を有する疎水性粘着剤からなる層を作製し、この疎水性粘着剤からなる層上に１５０ｍｍφに打ち抜きした親水性粘着剤からなる層を連続的に積層し、しかる後に１７０ｍｍφに打ち抜き加工してサンプル２を得た。このサンプル２を試用に供したところ表３に示す結果を得た。
【００３５】
【表１】
0004477152.tif 000002
【００３６】
【表２】
0004477152.tif 000003
【００３７】
【表３】
0004477152.tif 000004
【００３８】
表３の結果に認められるとおり、サンプル１，サンプル２はいずれも親水性粘着剤からなる層の流動性が小さく、糊残りやカブレのない良好なものであった。
【００３９】
【発明の効果】
本発明の皮膚保護材は、柔軟性，密着性，吸水性を有する親水性粘着剤からなる層が瘡面やストーマ周辺皮膚への密着性を高めて長期間の使用でも確実に密着させることができるし、また瘡面やストーマ周辺皮膚の分泌液を吸収して菌の培地になることもないし、さらに体動に追随しやすく物理的刺激を皮膚面に与えないのでカブレにくいし、また親水性粘着剤からなる層を積層させた疎水性粘着剤からなる層はその凝集力により親水性粘着剤からなる層を皮膚に追随する程度の柔軟性を保ちつつ弾力的に固定して親水性粘着剤からなる層の過剰な流動を防ぐと共に剥離時にもこの凝集力の保持により親水性粘着剤からなる層の破壊による皮膚への糊残りを起こさせることなく皮膚保護材を容易に剥がすことができるという効果が得られる。
【図面の簡単な説明】
【図１】  疎水性粘着剤からなる層に親水性粘着剤からなる層を積層した本発明皮膚保護材の一例を示す斜視図である。
【図２】  疎水性粘着剤からなる層に布帛または不織布を内在させた本発明皮膚保護材の一例を示す斜視図である。
【図３】  疎水性粘着剤からなる層に該層よりも小さな表面積を持つ親水性粘着剤からなる層を積層した本発明皮膚保護材の一例を示す斜視図である。
【図４】  図３の皮膚保護材の親水性粘着剤からなる層上に治療材を積層した本発明皮膚保護材の一例を示す斜視図である。
【図５】  疎水性粘着剤からなる層と親水性粘着剤からなる層に複数の溝を設けた本発明皮膚保護材の一例を示す斜視図である。
【図６】  疎水性粘着剤からなる層と親水性粘着剤からなる層を貫通する孔を設けた本発明皮膚保護材の一例を示す斜視図である。
【図７】  瘡面に貼着して瘡傷部を保護する本発明皮膚保護材の使用例図である。
【図８】  パウチ（袋）に取り付けた本発明皮膚保護材の用途例図である。
【符号の説明】
１  親水性粘着剤からなる層
１ａ  親水性粘着剤からなる層に設けた溝
２  親水性粘着剤からなる層の保護材
３  疎水性粘着剤からなる層
３ａ  疎水性粘着剤からなる層に設けた溝
３ｂ  疎水性粘着剤からなる層に内在する布帛または不織布
４  離形紙
５  疎水性粘着剤からなる層の保護材
６  親水性粘着剤からなる層と疎水性粘着剤からなる層とを貫通する孔
７  パウチ（袋）
８  消臭剤孔
９  識別票
１０  治療材
【図１】
0004477152.tif 000005
【図２】
0004477152.tif 000006
【図３】
0004477152.tif 000007
【図４】
0004477152.tif 000008
【図５】
0004477152.tif 000009
【図６】
0004477152.tif 000010
【図７】
0004477152.tif 000011
【図８】
0004477152.tif 000012